(57)【要約】【課題】  モジュール化放熱器の提供。【解決手段】  少なくとも二つの前後に配列された放熱モジュール、及び少なくとも一つの連接管を包含し、各放熱モジュールが複数の放熱フィン、複数の熱交換管、二つの固定板、複数の第一曲管、複数の第二曲管を包含し、複数の第一曲管が第一縦向き外側の二つの隣り合う熱交換管に接続され、複数の第二曲管が第二縦向き外側の二つの隣り合う熱交換管に接続され、並びにこれにより熱交換管が直列接続されて連続するＳ形管路が形成され、各Ｓ形管路が入口と出口を包含し、連接管がそのうち一つの放熱モジュールのＳ形管路の出口と次の放熱モジュールのＳ形管路の入口に接続される。放熱モジュールがモジュール化設計されたことにより放熱効率が高められる。【選択図】        図４
2006148047.tif 000002
【特許請求の範囲】
【請求項１】
モジュール化放熱器において、
少なくとも二つの放熱モジュールであって、相互に前後に一体に配列され、そのうち、各放熱モジュールは複数の放熱フィン、複数の熱交換管、二つの固定板、複数の第一曲管、複数の第二曲管を包含し、これら放熱フィンは相互に横向きに平行に配列され、並びに縦向きに相互に特定距離離間し、且つ各放熱フィンに相互に対応する複数の縦向き貫通孔が開設され、熱交換管は相互に平行に並びにそれぞれ縦向きに前述の縦向き貫通孔内を貫通し、二つの固定板はそれぞれ平行に放熱フィンの第一縦向き外側及び第二縦向き外側に組み付けられ、該二つの固定板に複数の縦向き貫通孔が開設されて熱交換管の二端外壁に嵌合され、また複数の第一曲管が第一縦向き外側の二つの隣り合う熱交換管の間に接続され、且つ複数の第二曲管は第二縦向き外側の二つの隣り合う熱交換管の間に接続され、且つ第一曲管は第二曲管と交錯するよう設置され、並びにそれぞれ熱交換管と直列に接続されて連続するＳ形管路を形成し、各Ｓ形管路が入口と出口を包含する、上記少なくとも二つの放熱モジュールと、
少なくとも一つの連接管であって、そのうち一つの放熱モジュールのＳ形管路の出口と次の放熱モジュールのＳ形管路の入口に接続された、上記少なくとも一つの連接管と、
を包含することを特徴とする、モジュール化放熱器。
【請求項２】
請求項１記載のモジュール化放熱器において、少なくとも一つのファンを更に具え、それは放熱フィンに平行で並びに放熱フィンの特定距離間を流れる流動空気流場を提供することを特徴とする、モジュール化放熱器。
【請求項３】
請求項２記載のモジュール化放熱器において、少なくとも一つのファンが少なくとも二つの放熱モジュール配列後の同一外側に組み付けられたことを特徴とする、モジュール化放熱器。
【請求項４】
請求項２記載のモジュール化放熱器において、少なくとも一つのファンが少なくとも二つの放熱モジュールの間に組み付けられたことを特徴とする、モジュール化放熱器。
【請求項５】
請求項１記載のモジュール化放熱器において、少なくとも二つの放熱モジュールが相互に前後に並列するよう配列されて、且つ二つの隣り合う固定板の隣り合う内側に固定片が設けられて、並びに固定片が相互に一体に組み合わされて固定されたことを特徴とする、モジュール化放熱器。
【請求項６】
請求項５記載のモジュール化放熱器において、二つの隣り合う固定片にそれぞれ固定孔が開設され、並びにネジで二つの固定孔が固定されたことを特徴とする、モジュール化放熱器。
【請求項７】
請求項５記載のモジュール化放熱器において、二つの隣り合う固定片の間に少なくとも一つの断熱パッキングが組み付けられたことを特徴とする、モジュール化放熱器。
【発明の詳細な説明】
【技術分野】
【０００１】
本発明は一種の放熱器に係り、特にモジュール化放熱器に関する。
【背景技術】
【０００２】
図１は周知の放熱器の後面図であり、図示されるように、伝統的な放熱器１はその熱交換管１０が位置をずらした方式で配列され、熱交換管１０のファン１１の流場を邪魔し、ファン１１と放熱器１の間の風の抵抗を大きくし、また、放熱器１の熱交換管１０が位置をずらした方式で配列されているため、全体の放熱器１の体積が比較的大きくなる。
【０００３】
図２は周知の液冷式コンピュータ用放熱器の立体図である。図示されるように、液冷式コンピュータ用放熱器１の熱交換管１０は一体に放熱フィン１２内に固定され、前列と後列の熱交換管１０がファン１１に接近するか否かにより熱流エリア１３とサブ熱流エリア１４を形成し、放熱フィン１２上で直接の熱伝導を形成し、これにより全体の放熱器１の放熱効率に影響が生じる。このほか、液冷式コンピュータ用放熱器１の熱交換管１０は一体に放熱フィン１２内に固定されているため、放熱器１の放熱効率は最初から固定され、変化設計と拡充の可能性がなく、理想的とはいえない。
【発明の開示】
【発明が解決しようとする課題】
【０００４】
本発明は一種のモジュール化放熱器を提供することを目的とし、それは、相互に前後に一体に配列された少なくとも二つの放熱モジュールを具え、そのうち、各放熱モジュールは複数の放熱フィン、複数の熱交換管、二つの固定板、複数の第一曲管、複数の第二曲管を包含し、その放熱フィンは相互に横向きに平行に配列され、並びに縦向きに相互に特定距離離間し、且つ各放熱フィンに相互に対応する複数の縦向き貫通孔が開設され、熱交換管は相互に平行に並びにそれぞれ縦向きに前述の縦向き貫通孔内を貫通する。
【０００５】
このほか、上述の二つの固定板はそれぞれ平行に放熱フィンの第一縦向き外側及び第二縦向き外側に組み付けられ、且つ二つの固定板に複数の縦向き貫通孔が開設され、それは熱交換管の二端外壁に嵌合され、また複数の第一曲管が第一縦向き外側の二つの隣り合う熱交換管の間に接続され、且つ複数の第二曲管は第二縦向き外側の二つの隣り合う熱交換管の間に接続され、且つ第一曲管は第二曲管と交錯するよう設置され、並びにそれぞれ熱交換管と直列に接続されて連続するＳ形管路を形成し、各Ｓ形管路が入口と出口を包含する。
【０００６】
このほか、本発明のモジュール化放熱器は少なくとも一つの連接管を具え、それは上述のそのうち一つの放熱モジュールのＳ形管路の出口と次の放熱モジュールのＳ形管路の入口に接続されている。
【０００７】
本発明は更に少なくとも一つのファンを包含しうる。それは放熱フィンに平行で並びに放熱フィンの特定距離間を流れる流動空気流場を提供する。前述の少なくとも一つのファンは少なくとも二つの放熱モジュール配列後の同一外側、或いは少なくとも二つの放熱モジュールの間に組み付け可能である。
【０００８】
このほか、上述の少なくとも二つの放熱モジュールは相互に前後に並列するよう配列され得て、且つ二つの隣り合う固定板の隣り合う内側に固定片が設けられて、並びに相互に一体に組み合わされて固定され、そのうち、二つの隣り合う固定片にそれぞれ固定孔が開設され、並びにネジで二つの固定孔が固定されるか、或いはナットが組み合わされて固定され、或いは固定孔がセルフタッピンネジにより直接固定される。このほか、二つの隣り合う固定片の間に少なくとも一つの断熱パッキングが組み付けられ、これにより熱流エリアとサブ熱流エリアの熱エネルギーが有効に隔離される。
【課題を解決するための手段】
【０００９】
請求項１の発明は、モジュール化放熱器において、
少なくとも二つの放熱モジュールであって、相互に前後に一体に配列され、そのうち、各放熱モジュールは複数の放熱フィン、複数の熱交換管、二つの固定板、複数の第一曲管、複数の第二曲管を包含し、これら放熱フィンは相互に横向きに平行に配列され、並びに縦向きに相互に特定距離離間し、且つ各放熱フィンに相互に対応する複数の縦向き貫通孔が開設され、熱交換管は相互に平行に並びにそれぞれ縦向きに前述の縦向き貫通孔内を貫通し、二つの固定板はそれぞれ平行に放熱フィンの第一縦向き外側及び第二縦向き外側に組み付けられ、該二つの固定板に複数の縦向き貫通孔が開設されて熱交換管の二端外壁に嵌合され、また複数の第一曲管が第一縦向き外側の二つの隣り合う熱交換管の間に接続され、且つ複数の第二曲管は第二縦向き外側の二つの隣り合う熱交換管の間に接続され、且つ第一曲管は第二曲管と交錯するよう設置され、並びにそれぞれ熱交換管と直列に接続されて連続するＳ形管路を形成し、各Ｓ形管路が入口と出口を包含する、上記少なくとも二つの放熱モジュールと、
少なくとも一つの連接管であって、そのうち一つの放熱モジュールのＳ形管路の出口と次の放熱モジュールのＳ形管路の入口に接続された、上記少なくとも一つの連接管と、
を包含することを特徴とする、モジュール化放熱器としている。
請求項２の発明は、請求項１記載のモジュール化放熱器において、少なくとも一つのファンを更に具え、それは放熱フィンに平行で並びに放熱フィンの特定距離間を流れる流動空気流場を提供することを特徴とする、モジュール化放熱器としている。
請求項３の発明は、請求項２記載のモジュール化放熱器において、少なくとも一つのファンが少なくとも二つの放熱モジュール配列後の同一外側に組み付けられたことを特徴とする、モジュール化放熱器としている。
請求項４の発明は、請求項２記載のモジュール化放熱器において、少なくとも一つのファンが少なくとも二つの放熱モジュールの間に組み付けられたことを特徴とする、モジュール化放熱器としている。
請求項５の発明は、請求項１記載のモジュール化放熱器において、少なくとも二つの放熱モジュールが相互に前後に並列するよう配列されて、且つ二つの隣り合う固定板の隣り合う内側に固定片が設けられて、並びに固定片が相互に一体に組み合わされて固定されたことを特徴とする、モジュール化放熱器としている。
請求項６の発明は、請求項５記載のモジュール化放熱器において、二つの隣り合う固定片にそれぞれ固定孔が開設され、並びにネジで二つの固定孔が固定されたことを特徴とする、モジュール化放熱器としている。
請求項７の発明は、請求項５記載のモジュール化放熱器において、二つの隣り合う固定片の間に少なくとも一つの断熱パッキングが組み付けられたことを特徴とする、モジュール化放熱器としている。
【発明の効果】
【００１０】
本発明は相互に配列された少なくとも二つの放熱モジュール及び少なくとも一つの連接管により、周知の熱交換管の位置をずらした配列により形成される風の抵抗を防止し、また、全体の放熱器の使用体積を減少する。このほか、放熱モジュールにモジュール化方式の設計が採用され、異なる要求により配列を増加でき、これにより放熱器の変化設計と拡充の可能性が増されている。このほか、モジュール化設計と相互に配列された放熱モジュールにより周知の直接熱伝導の問題を改善でき、全体の放熱器の放熱効率を高めることができる。
【発明を実施するための最良の形態】
【００１１】
図３、４、５は本発明の好ましい実施例のモジュール化放熱器の正面図、立体図及び平面図である。本実施例中、モジュール化放熱器２は、二つの放熱モジュール３、連接管３５０、及びファン３６を包含する。
【００１２】
前述の二つの放熱モジュール３は相互に前後に一体に配列され、且つ各放熱モジュール３は複数の放熱フィン３０、複数の熱交換管３１、二つの固定板３２、複数の第一曲管３３、複数の第二曲管３４を包含する。本実施例中、放熱フィン３０は相互に横向きに平行に配列され、並びに縦向きに相互に特定距離離間し、且つ各放熱フィン３０に相互に対応する複数の縦向き貫通孔３０１が開設され、熱交換管３１は相互に平行に並びにそれぞれ縦向きに前述の縦向き貫通孔３０１内を貫通する。
【００１３】
このほか、本実施例においては、上述の二つの固定板３２に複数の縦向き貫通孔３２０が開設され、それは熱交換管３１の熱交換管３１の二端外壁に嵌合され、且つ第一曲管３３は第一縦向き外側３０２の二つの隣り合う熱交換管３１の間に接続され、且つ複数の第二曲管３４は第二縦向き外側３０３の二つの隣り合う熱交換管３１の間に接続され、且つ第一曲管３３は第二曲管３４と交錯するよう設置され、並びにそれぞれ熱交換管３１と直列に接続されて連続するＳ形管路３５を形成し、各Ｓ形管路３５が入口３５１と出口３５２を包含する。
【００１４】
このほか、連接管３５０が図示されるように、そのうち一つの放熱モジュール３のＳ形管路３５の出口３５２と次の放熱モジュール３のＳ形管路の入口３５１に接続されている。
【００１５】
本実施例中、ファン３６が二つの放熱モジュール３が平行に重ね合わされた後の同一外側に組み付けられ、それは放熱フィン３０に平行で並びに放熱フィン３０の特定距離間を流れる流動空気流場３６０を提供する。
【００１６】
二つの隣り合う固定板３２はその隣り合う内側３２３に固定片３２１が設けられて、並びに相互に一体に固定され、そのうち、二つの隣り合う固定片３２１にそれぞれ固定孔３２２が開設され、並びにネジ３７で二つの固定孔３２２が固定されるか、或いはナットが組み合わされて固定され、或いは固定孔３２２がセルフタッピンネジにより直接固定される。
【００１７】
また、本実施例は、更に四つの断熱パッキング３８を包含し、この四つの断熱パッキング３８は二つの隣り合う固定片３２１の間に組み付けられ、これにより二つの放熱モジュール３の間の熱流エリアとサブ熱流エリアの熱エネルギーが有効に隔離される。
【００１８】
これにより、上述の構造を利用して、周知の熱交換管の位置をずらした配列により形成される風の抵抗を防止し、また、全体のモジュール化放熱器２の使用体積を減少する。このほか、放熱モジュール３にモジュール化方式の設計が採用され、異なる要求により配列を増加でき、これによりモジュール化放熱器２の変化設計と拡充の可能性が増されている。このほか、モジュール化設計と相互に配列された放熱モジュール３により周知の直接熱伝導の問題を改善でき、全体の放熱器の放熱効率を高めることができる。
【００１９】
図６は本発明の別の実施例のモジュール化放熱器の分解図である。その主要な構造は上述の実施例と同じであるが、異なるところは、本実施例では四つの放熱モジュール６０及び三台のファン６１が使用され、放熱モジュール６０は直接重ね置かれるほか、相互に前後に所定距離離間するように配列可能で、これにより上述の実施例で説明された各種の効果を達成するほか、ファン６１が放熱モジュール６０の間に組み付けられて放熱モジュール６０の放熱効率が高められている。
【００２０】
以上の実施例は本発明の実施範囲を限定するものではなく、本発明に基づきなしうる細部の修飾或いは改変は、いずれも本発明の請求範囲に属するものとする。
【図面の簡単な説明】
【００２１】
【図１】周知の放熱器の後面図である。
【図２】周知の液冷式コンピュータ用放熱器の立体図である。
【図３】本発明の好ましい実施例のモジュール化放熱器の正面図である。
【図４】本発明の好ましい実施例のモジュール化放熱器の立体図である。
【図５】本発明の好ましい実施例のモジュール化放熱器の平面図である。
【図６】本発明の別の実施例のモジュール化放熱器の分解図である。
【符号の説明】
【００２２】
１  放熱器                  １０  熱交換管
１１  ファン                １２  放熱フィン
１３  熱流エリア            １４  サブ熱流エリア
２  モジュール化放熱器      ３  放熱モジュール
３０  放熱フィン            ３０１  貫通孔
３０２  第一縦向き外側      ３０３  第二縦向き外側
３１  熱交換管              ３２  固定板
３２３  内側                ３３  第一曲管
３４  第二曲管              ３５  Ｓ形管路
３５０  連接管              ３５１  入口
３５２  出口                ３６  ファン
３６０  流動空気流場        ３７  ネジ
３８  断熱パッキング        ６０  放熱モジュール
６１  ファン
【図１】
2006148047.tif 000003
【図２】
2006148047.tif 000004
【図３】
2006148047.tif 000005
【図４】
2006148047.tif 000006
【図５】
2006148047.tif 000007
【図６】
2006148047.tif 000008